(57)【特許請求の範囲】
【請求項１】
画像を取得する画像取得部と、
前記画像取得部により取得された画像を取り込んで記憶する記憶部と、
前記画像が前記記憶部に記憶された時点から第１規定時間が経過するまでに、前記画像取得部により次の画像が取得されて前記記憶部に記憶された場合に、前記記憶部に記憶されている複数の画像のうちの最後に記憶された画像を除く他の画像の消去に関する処理を行う制御部と、を備える電子機器。
【請求項２】
前記制御部は、前記消去に関する処理として、前記他の画像を前記記憶部から消去する処理を行う請求項１に記載の電子機器。
【請求項３】
表示部と、
ユーザーによる操作で操作指示を受け付ける操作部とを更に備え、
前記制御部は、前記他の画像の消去前に、前記他の画像を前記記憶部から消去するか否かをユーザーに問い合わせるメッセージを前記表示部に表示させ、ユーザーによる前記操作部の操作で前記メッセージを消去する指示が受け付けられた場合に、前記他の画像を前記記憶部から消去する請求項２に記載の電子機器。
【請求項４】
前記制御部は、前記消去に関する処理として、前記最後に取り込まれた画像と前記他の画像の差異を求めて、この差異が規定のレベル以下であるか否かを判定し、この差異が規定のレベル以下でないと判定した場合には、前記他の画像を前記記憶部から消去せず、この差異が規定のレベル以下であると判定した場合に、前記他の画像を前記記憶部から消去する処理を行う請求項２又は請求項３に記載の電子機器。
【請求項５】
前記記憶部に記憶されている前記複数の画像は、階層構造の関係を有し、
前記制御部は、前記消去に関する処理として、前記最後に取り込まれた画像の階層と前記他の画像の階層が異なるか否かを判定し、当該各画像の階層が異なると判定した場合には、前記他の画像を前記記憶部から消去せず、該各画像の階層が同じと判定した場合に、前記他の画像を前記記憶部から消去する処理を行う請求項２又は請求項３に記載の電子機器。
【請求項６】
前記制御部は、前記消去に関する処理として、前記画像取得部により前記他の画像が取得されて前記記憶部に記憶された時点から第２規定時間が経過するまでに、ユーザーによる操作部の操作で前記他の画像の表示が指示されたか否かを判定し、前記他の画像の表示が指示されたと判定した場合に、前記他の画像を前記記憶部から消去せず、前記他の画像の表示が指示されなかったと判定した場合に、前記他の画像を前記記憶部から消去する処理を行う請求項２又は請求項３に記載の電子機器。
【請求項７】
表示部を更に備え、
前記画像取得部は、前記表示部の画面に表示されている画面画像を取得するスクリーンショット実行部であり、
前記記憶部は、前記スクリーンショット実行部により取得された画面画像を取り込んで記憶し、
前記制御部は、前記画面画像が前記記憶部に記憶された時点から第１規定時間が経過するまでに、前記スクリーンショット実行部により次の画面画像が取得されて前記記憶部に記憶された場合に、前記記憶部に記憶されている複数の画面画像のうちの最後に記憶された画面画像を除く他の画面画像の消去に関する処理を行う請求項１に記載の電子機器。
【請求項８】
被写体を撮像して当該撮像した画像を取得する撮像部と、
前記撮像部により取得された画像を取り込んで記憶する記憶部と、
前記画像が前記記憶部に記憶された時点から第１規定時間が経過するまでに、前記撮像部により次の画像が取得されて前記記憶部に記憶された場合に、前記記憶部に記憶されている複数の画像のブレの程度を判定し、該各画像のうちのブレの程度が比較的大きな少なくとも１つの画像を記憶部から消去する制御部と、を備えた電子機器。
【請求項９】
被写体を撮像して当該撮像した画像を取得する撮像部と、
前記撮像部により取得された画像を取り込んで記憶する記憶部と、
前記画像が前記記憶部に記憶された時点から第１規定時間が経過するまでに、前記撮像部により次の画像が取得されて前記記憶部に記憶された場合に、前記記憶部に記憶されている複数の画像のピントの精度を判定し、該各画像のうちのピントの精度が比較的低い少なくとも１つの画像を前記記憶部から消去する制御部と、を備えた電子機器。
【請求項１０】
被写体を撮像して当該撮像した画像を取得する撮像部と、
前記撮像部により取得された画像を取り込んで記憶する記憶部と、
前記画像が前記記憶部に記憶された時点から第１規定時間が経過するまでに、前記撮像部により次の画像が取得されて前記記憶部に記憶された場合に、前記記憶部に記憶されている複数の画像の明るさを判定し、該各画像のうちの明るさが比較的低い少なくとも１つの画像を前記記憶部から消去する制御部と、を備えた電子機器。
【請求項１１】
被写体を撮像して当該撮像した画像を取得する撮像部と、
前記撮像部により取得された画像を取り込んで記憶する記憶部と、
前記撮像部により撮像された画像に含まれる人の顔を認識する顔認識部と、
前記画像が前記記憶部に記憶された時点から第１規定時間が経過するまでに、前記撮像部により次の画像が取得されて前記記憶部に記憶された場合に、前記記憶部に記憶されている複数の画像に含まれる、前記顔認識部により認識されたそれぞれの顔の数を比較し、該各画像のうちの顔の数が比較的少ない、少なくとも１つの画像を前記記憶部から消去する制御部と、を備えた電子機器。
【請求項１２】
表示部と、
ユーザーによる操作で操作指示を受け付ける操作部とを更に備え、
前記制御部は、前記画像の消去前に、前記画像を前記記憶部から消去するか否かを問い合わせるメッセージを前記表示部に表示させ、ユーザーによる前記操作部の操作で前記メッセージを消去する指示が受け付けられた場合に、前記画像を前記記憶部から消去する請求項９乃至請求項１１のいずれかに記載の電子機器。
【発明の詳細な説明】
【技術分野】
【０００１】
本発明は、電子機器に関し、特に、画像取得部により取得されて記憶部に記憶された画像を消去する技術に関する。
【背景技術】
【０００２】
スマートフォンなどの携帯端末装置には、表示部の画面に画像が表示されている状態で、予め定められた操作を行うことにより該画像を取り込んで記憶部に記憶するというスクリーンショットの機能を備えるものがある。
【０００３】
例えば、特許文献１では、制御スイッチをオン操作した条件の下で、プリントスクリーンキーをオン操作したとき、あるいはプログラムのコマンド指令があったときに、スクリーンショットにより表示部の画面に表示されている画像をメモリーに記憶している。従って、ユーザーが制御スイッチをオン操作しなければ、画像が記憶されることはなく、これによりユーザーが意図しない画像が記憶されることを防止している。
【０００４】
また、特許文献２では、表示パネルの画像情報を記録するパネル画像記録部を有し、表示パネルや操作ボタンなどからの指示によりその時点で表示パネルに表示されている画像情報を印刷部に送って印刷したり、画像形成装置内や他のサーバ装置などにファイル転送したりしている。これにより、表示パネルの画面をそのままに手軽に印刷することを可能にしている。
【先行技術文献】
【特許文献】
【０００５】
【特許文献１】特開２００８−９０６７１号公報
【特許文献２】特開２００９−１１８２２２号公報
【発明の概要】
【発明が解決しようとする課題】
【０００６】
ところで、スクリーンショットを簡単な操作で実行できるため、スクリーンショットで取得した表示部の画像が好ましくないときには、気に入った画像を取得するまでスクリーンショットの操作を繰り返すことがある。
【０００７】
このようにスクリーンショットの操作を繰り返した場合、気に入った最後の画像のみが必要であり、この最後の画像以前に取得した他の画像が必要ではない。また、これらの画像の全てを記憶部に記憶させたままにしておくと、これが記憶部の容量不足の原因となる。このため、気に入った最後の画像を取得した後で、他の画像を記憶部から消去する作業を行う必要がある。
【０００８】
なお、スマートフォンなどの携帯端末装置には、カメラの機能を備えるものがあるが、このカメラの機能を利用する場合にも、シャッターボタンの操作が短時間の間に繰り返されて、複数の画像が記憶部に記憶されることがあるため、これらの画像のうちから気に入った画像を選択して残し、他の画像を記憶部から消去するための作業が必要となる。
【０００９】
本発明は、上記の事情に鑑みなされたものであり、スクリーンショットの機能やカメラの機能を利用して、複数の画像を繰り返し取得したときに、気に入った画像のみを残して、他の画像を記憶部から容易に消去することを可能にすることを目的とする。
【課題を解決するための手段】
【００１０】
本発明の一局面にかかる電子機器は、画像を取得する画像取得部と、前記画像取得部により取得された画像を取り込んで記憶する記憶部と、前記画像が前記記憶部に記憶された時点から第１規定時間が経過するまでに、前記画像取得部により次の画像が取得されて前記記憶部に記憶された場合に、前記記憶部に記憶されている複数の画像のうちの最後に記憶された画像を除く他の画像の消去に関する処理を行う制御部と、を備えるものである。
【発明の効果】
【００１１】
本発明によれば、スクリーンショットの機能やカメラの機能を利用して、複数の画像を繰り返し取得したときに、気に入った画像のみを残して、他の画像を記憶部から容易に消去することができる。
【図面の簡単な説明】
【００１２】
【図１】本発明の実施形態にかかる電子機器の外観を示す斜視図である。
【図２】本発明の実施形態にかかる電子機器の内部構成を示すブロック図である。
【図３】（ａ）、（ｂ）は、スクリーンショット実行時の電子機器の表示部の画面に表示されている画像の変化を示す図である。
【図４】第１実施形態にかかる電子機器によるスクリーンショットの制御手順を示すフローチャートである。
【図５】第１実施形態にかかる電子機器の表示部の画面に表示されている問い合わせメッセージを示す図である。
【図６】第１実施形態の変形例にかかる画像形成装置の表示部の画面に表示されている画像を示す図である。
【図７】第２実施形態にかかる電子機器による撮像の制御手順を示すフローチャートである。
【図８】第２実施形態にかかる電子機器の表示部の画面に表示されている問い合わせメッセージを示す図である。
【発明を実施するための形態】
【００１３】
以下、本発明の実施形態にかかる電子機器について図面を参照して説明する。
＜第１実施形態＞
【００１４】
図１は、本発明の第１実施形態にかかる電子機器の外観を示す斜視図である。図２は、本発明の第１実施形態にかかる電子機器の内部構成を示すブロック図である。
【００１５】
本発明の第１実施形態にかかる電子機器としての携帯端末１は、例えば、スマートフォンなどである。表示部１０と、タッチパネル２０と、通信部３０と、記憶部４０と、撮像部５０と、制御ユニット１００とを備えている。これらの構成要素は、互いにバスを通じてデータ又は信号の送受信が可能とされている。
【００１６】
表示部１０は、液晶ディスプレイ（ＬＣＤ：Liquid Crystal Display）や有機ＥＬ（ＯＬＥＤ：Organic Light-Emitting Diode）などから構成される。図１に示すように表示部１０の画面には、例えば複数のアイコンを含む画面が表示される。
【００１７】
タッチパネル２０は、所謂抵抗膜方式や静電容量方式等のタッチパネルである。タッチパネル２０は、表示部１０の画面に配置され、表示部１０の画面上のアイコンに対する指などの接触をその接触位置と共に検知する。タッチパネル２０は、指などの接触を検知すると、その接触位置の座標を示す検知信号を制御ユニット１００の後述する制御部１０１などに出力する。このように、タッチパネル２０及び物理キー２１，２２は、表示部１０の画面に対するユーザー操作が入力される操作部としての役割を果たす。
【００１８】
なお、タッチパネル２０には、操作画面への直接の接触がなくても、ユーザーの指などが操作画面に対して一定距離まで接近した場合に当該指などを検出するタッチパネルも含まれる。このため、本実施形態でいう「接触」には、操作画面への接触がなくても指などが上記一定距離まで接近したことがタッチパネル２０の機能により検出される状態も、実質的に接触したとして含まれるものとする。
【００１９】
また、携帯端末１は、ユーザー操作が入力される操作部として、上記のタッチパネル２０に加えて物理キーを備えている。この物理キーには、例えば、オンキー２１、スクリーンショットキー２２などがある。
【００２０】
通信部３０は、不図示のＬＡＮチップなどの通信モジュールを備える通信インターフェイスである。携帯端末１は、ネットワークを介してＰＣ（Personal Computer）やサーバなどの他の情報処理装置と接続されており、通信部３０により接続されたＰＣやサーバとの間でデータの送受信を行う。
【００２１】
記憶部４０は、ＲＡＭ（Random Access Memory）、ＨＤＤ（Hard Disk Drive）などの大容量の記憶装置である。撮像部（画像取得部の一例）５０は、撮像素子およびレンズなどからなるカメラである。
【００２２】
制御ユニット１００は、プロセッサー、ＲＡＭ（Random Access Memory）、及びＲＯＭ（Read Only Memory）等から構成される。プロセッサーは、例えば、ＣＰＵ(Central Processing Unit)、ＭＰＵ、又はＡＳＩＣ等である。制御ユニット１００は、上記のＲＯＭ又は記憶部４０に記憶された制御プログラムが上記プロセッサーにより実行されることにより、制御部１０１、通信制御部１０４、スクリーンショット実行部１０５、撮像制御部１０６として機能する。なお、制御ユニット１００の上記の各構成要素は、前述の制御プログラムに基づく動作によらず、それぞれハード回路により構成されてもよい。
【００２３】
制御部１０１は、携帯端末１の全体的な動作制御を司る。制御部１０１は、表示部１０、タッチパネル２０、物理キー２１，２２、通信部３０、記憶部４０、及び撮像部５０などと接続されており、接続されている上記各構成要素の動作制御や、各構成要素との間での信号またはデータの送受信を行う。
【００２４】
さらに、制御部１０１は、タッチパネル２０から出力される検知信号、あるいはオンキー２１、スクリーンショットキー２２の操作に基づくユーザーにより入力される指示を受け付ける。
【００２５】
制御部１０１は、受け付けた上記指示に応じた処理を実行する。例えば、ユーザーによりタッチパネル２０を通じて表示部１０の画面に表示されているアイコンを選択する操作が行われ、アイコンに対するユーザー操作に基づく指示を受け付けた場合に、制御部１０１は、当該アイコンに対応付けられた機能又は処理を実行する。例えば、メール機能がアイコンＡ１に対応付けられていたならば、制御部１０１は、記憶部４０に記憶されているメールプログラムに従って動作する。また、制御部１０１は、表示部１０の表示動作を制御する。
【００２６】
通信制御部１０４は、通信部３０の通信動作を制御する機能を有する。
【００２７】
スクリーンショット実行部（画像取得部の一例）１０５は、オンキー２１及びスクリーンショットキー２２が同時に操作されて、当該操作に基づく画像取得指示を受け付けると、表示部１０の画面に表示されている画像を示す画像データを取り込んで、この画像データを記憶部４０に記憶させる。要するに、オンキー２１及びスクリーンショットキー２２が同時操作されると、スクリーンショット実行部１０５により所謂スクリーンショットが実行される。
【００２８】
また、制御部１０１は、カメラの機能に対応するアイコンＡ２に対するユーザー操作がタッチパネル２０により検知されて当該操作に基づいてカメラ機能実行指示を受け付けると、撮像制御部１０６を起動する。そして、撮像制御部１０６は、撮像指示を受け付けると、撮像部５０による撮像を行わせ、撮像部５０により撮像された画像を示す画像データを記憶部４０に記憶する。
【００２９】
第１実施形態では、スクリーンショット実行部１０５によりスクリーンショットが短時間の間に繰り返し行われて、複数の画像を示す各画像データが記憶部４０に記憶されたときに、気に入った画像を示す画像データのみを残して、他の画像を示す画像データを記憶部４０から容易に消去可能としている。
【００３０】
例えば、携帯端末１において、ネット上のＷｅｂサイトが表示部１０に表示されており、図３（ａ）に示すような画像Ｇａが表示部１０の画面に表示されており、このときに、スクリーンショットが行われたものとする。
【００３１】
さらに、この直後に表示部１０の画面が変更されて、図３（ｂ）に示すように画像Ｇｂが表示部１０の画面に表示され、このときにも、スクリーンショットが行われたものとする。
【００３２】
この画像Ｇｂが画像Ｇａよりも好ましいものであった場合、２枚の画像Ｇａ、Ｇｂを示すそれぞれの画像データが記憶部４０に記憶されているが、ユーザーは、２枚目の画像Ｇｂのみが必要である。そこで、第１実施形態では、２枚目の画像Ｇｂを示す画像データのみを残して、１枚目の画像Ｇａを示す画像データを記憶部４０から容易に消去する手段を提案する。
【００３３】
次に、そのようなスクリーンショットにより得られた複数の画像のうちの不要な画像を消去する不要画像消去処理を、図４に示すフローチャートに従って説明する。
【００３４】
まず、携帯端末１が動作中であって、制御部１０１が表示部１０の画面に画像を表示させているものとすると（ステップＳ１０１）、スクリーンショット実行部１０５は、オンキー２１及びスクリーンショットキー２２の同時操作に基づくユーザーからのスクリーンショット実行指示を受け付けるのを待機している（ステップＳ１０２）。そして、スクリーンショット実行部１０５は、スクリーンショットの実行指示を受け付けたとき（ステップＳ１０２で「Ｙｅｓ」）、スクリーンショットを実行し（ステップＳ１０３）、表示部１０の画面に表示されている画像についての画像データを取り込んで、この画像データを記憶部４０に記憶する。
【００３５】
制御部１０１は、スクリーンショット実行部１０５によるスクリーンショットが実行されると、スクリーンショットが実行された時点から、予め設定された第１規定時間Ｔ１の計時を開始する（ステップＳ１０４）。この第１規定時間Ｔ１の計時の間に、つまり１回目のスクリーンショットの実行時点から第１規定時間Ｔ１を計時するまでの間に（ステップＳ１０５で「Ｎｏ」）、スクリーンショット実行部１０５が、オンキー２１及びスクリーンショットキー２２の同時操作に基づくユーザーからのスクリーンショット実行指示を受け付けると（ステップＳ１０６で「Ｙｅｓ」）、当該指示を受け付ける度に、スクリーンショット実行部１０５はスクリーンショットを実行して、表示部１０の画面に表示されている画像を示す画像データを記憶部４０に記憶させる（ステップＳ１０７）。勿論、スクリーンショット実行部１０５は、当該クリーンショット実行指示を受け付けなければ（ステップＳ１０６で「Ｎｏ」）、スクリーンショットを実行しない。
【００３６】
更に、制御部１０１は、第１規定時間Ｔ１の計時を終了すると、複数回のスクリーンショットが行われたか否かを判定する（ステップＳ１０８）。すなわち、制御部１０１は、１回目のスクリーンショットの実行時点から第１規定時間Ｔ１を計時するまでに、２回目以降のスクリーンショットが実行されたか否かを判定する。
【００３７】
例えば、制御部１０１は、複数回のスクリーンショットが行われたと判定すると（ステップＳ１０８で「Ｙｅｓ」）、図５に示すようにポップアップ画面Ｐａを表示部１０の画面に表示させる（ステップＳ１０９）。このポップアップ画面Ｐａには、複数回繰り返されて取り込まれた各画像のうちの最後に取り込まれた画像を除く他の画像の全てを消去するか否かを問い合わせる問い合わせメッセージＭａが表示される。制御部１０１は、問い合わせメッセージＭａに、更に、今回消去対象とされる他の画像（他の画像が複数の場合は、代表として抽出された１つの画像）の縮小画像と、画像としてのＯＫキー６１及びＮＧキー６２とを表示させる。このため、ユーザーは、問い合わせメッセージＭａを視認することにより、当該他の画像を消去するかどうかを判断可能になる。なお、複数の他の画像がある場合は、例えば該各他の画像のうち最初に取り込まれた画像を上記代表として縮小表示する。
【００３８】
このとき、ＯＫキー６１が操作されることによりタッチパネル２０を介して、制御部１０１が画像消去指示を受け付けられると（ステップＳ１１０で「ＯＫ」）、制御部１０１は、上記他の画像を示す画像データを記憶部４０から消去する（ステップＳ１１１）。例えば、制御部１０１は、第１規定時間Ｔ１の計時を終了するまでに２回目のスクリーンショットが行われている場合、１回目のスクリーンショットにより取り込まれた画像を示す画像データを記憶部４０から消去して、２回目のスクリーンショットにより取り込まれた画像を示す画像データは消去せずに残すようにする。
【００３９】
また、ＮＧキー６２が操作されることによりタッチパネル２０を介して、制御部１０１が画像保留指示を受け付けると（ステップＳ１１０で「ＮＧ」）、制御部１０１は、ステップＳ１１１の処理を行わずに、複数回のスクリーンショットにより取り込まれて記憶部４０に記憶されている各画像の全てを残して、図４の処理を終了する。
【００４０】
また、制御部１０１は、スクリーンショットが１回だけ実行された（すなわち、第１規定時間Ｔ１の計時までに１回目のスクリーンショットだけが行われた）と判定すると（ステップＳ１０８で「Ｎｏ」）、各ステップＳ１０９〜Ｓ１１１の処理を行わずに、その１回のスクリーンショットにより取り込まれた画像を示す画像データを残して、図４の処理を終了する。
【００４１】
このように第１実施形態では、第１規定時間Ｔ１が計時されるまでの短時間の間にスクリーンショットが複数回繰り返されて、複数の画像を示す各画像データが記憶部４０に記憶されたときには、問い合わせメッセージＭａを表示し、ユーザーから画像消去指示があると、最後に取り込まれた画像をユーザーが気に入った画像であるとみなして、この最後の画像を示す画像データのみを残して、他の画像を示す画像データを記憶部４０から消去しているので、不要な画像データを記憶部４０から容易に消去することができる。
【００４２】
なお、第１実施形態では、制御部１０１は、最後に取り込まれた画像を除く他の画像を消去するか否かを問い合わせる問い合わせメッセージＭａを表示部１０の画面に表示し、画像消去指示が受け付けられた場合に、上記他の画像を消去しているが、制御部１０１は、第１規定時間Ｔ１が計時されるまでにスクリーンショットが複数回繰り返されたときは、問い合わせのメッセージＭａを表示することなくかつ画像消去指示の受付を待たずに、最後に取り込まれた画像を除く他の画像の全てを示す画像データを記憶部４０から直ちに消去しても構わない。
＜変形例１−１＞
【００４３】
上記第１実施形態では、最後に取り込まれた画像と他の画像を比較することなく、この他の画像を消去しているが、第２実施形態では、最後に取り込まれた画像と他の画像を比較し、これらの画像の差異を求め、この差異が規定のレベル以下であるときにのみ、他の画像を消去する。例えば、制御部１０１は、最後に取り込まれた画像の階調と他の画像の階調の差分を、他の画像毎に、画像の差異として算出する。そして、制御部１０１は、この階調の差分が規定のレベル以下であるか否かを判定し、この階調の差分が規定のレベル（例えば、１２８階調の場合、１ビット）以下であるときに、他の画像を消去する。なお、制御部１０１による階調の検出処理には、公知の方法が用いられる。
【００４４】
この場合、制御部１０１は、第１規定時間Ｔ１を計時するまでにスクリーンショットが複数回繰り返されると、最後に取り込まれた画像を示す画像データと他の画像のそれぞれとの画像データの上記差分を求め、この差分が規定のレベル以下であるか否かを判定する。そして、制御部１０１は、差分が規定のレベル以下であると判定すると、当該差分が規定のレベル以下となっている他の画像を消去するか否かを問い合わせる問い合わせメッセージＭａを、当該他の画像毎に表示部１０の画面に表示させる。制御部１０１は、ユーザーからの消去指示を受け付けると、消去指示の対象とされた他の画像を示す画像データを記憶部４０から消去する。
【００４５】
また、制御部１０１は、上記差分が規定のレベルを超えると判定すると、問い合わせメッセージＭａを表示部１０の画面に表示せず、上記差分が規定のレベルを超える他の画像を示す画像データを消去せずに残す。これにより、ユーザーに対する操作負担を大きくすることなく、最後に取り込まれた画像とは大きく異なる他の画像を消去せずに残すことができる。
【００４６】
なお、制御部１０１は、差分が規定のレベル以下であると判定したときに、問い合わせのメッセージＭａを表示することなくかつ消去指示の受付を判定することなく、他の画像を示す画像データを記憶部４０から直ちに消去しても構わない。
＜変形例１−２＞
【００４７】
また、制御部１０１により次のような処理を行ってもよい。すなわち、制御部１０１は、スクリーンショット実行部１０５により最後の画像を除く他の画像が取り込まれてからの経過時間を計時し、この経過時間が第２規定時間Ｔ２に達するまでに他の画像の表示の指示を受け付けたか否かを判定する。そして、制御部１０１は、経過時間が第２規定時間Ｔ２に達するまでに他の画像の表示の指示が受け付けられて、他の画像を表示部１０の画面に表示させた場合には、当該他の画像を消去するか否かを問い合わせる問い合わせメッセージＭａを表示することなく、他の画像を示す画像データを消去せずに維持する。また、制御部１０１は、その経過時間が第２規定時間Ｔ２に達するまでに他の画像の表示の指示が受け付けられなかった場合に、メッセージＭａを表示して、ユーザーから消去指示を受け付けた場合に、当該消去指示の対象とされる他の画像を示す画像データを記憶部４０から消去する。
【００４８】
例えば、他の画像が取り込まれてから第２規定時間Ｔ２が経過するまでに該他の画像が表示され、かつ、ユーザーにより当該他の画像に対して消去指示がされていない場合は、ユーザーは、当該他の画像を残しておきたいという意思を有すると想定されるので、当該変形例によれば、このような場合には、当該他の画像に対する問い合わせメッセージＭａの表示をなくして、ユーザーに与える煩わしさを軽減できる。
【００４９】
なお、上記第１規定時間Ｔ１の計時までにスクリーンショットが３回以上繰り返されたときには、２つ以上の他の画像が取り込まれるため、制御部１０１は、他の画像毎に、経過時間を計時して、この経過時間が第２規定時間Ｔ２に達するまでに他の画像の表示の指示が受け付けられたか否かを判定し、この判定結果に応じて他の画像毎に問い合わせメッセージＭａの表示などの処理を行う。
【００５０】
また、制御部１０１は、第２規定時間Ｔ２に達するまでに他の画像の表示の指示が受け付けられなかった場合に、問い合わせのメッセージＭａを表示することなくかつ消去指示の受付を判定することなく、他の画像を示す画像データを記憶部４０から直ちに消去しても構わない。
＜第２実施形態＞
【００５１】
第１実施形態では、携帯端末１としてスマートフォンなどの携帯端末装置を例示しているが、第２実施形態として、本発明を他の種類の電子機器に適用する。
【００５２】
例えば、図６に示すような画像形成装置の操作パネル８１に表示部８２及びスクリーンショット用キー８３を設けて、スクリーンショット用キー８３が操作されてタッチパネル２０にスクリーショットの実行指示が受け付けられる度に、制御部１０１が、表示部８２の画面に表示されている画像を取り込んで記憶部４０に記憶する構成としてもよい。なお、当該画像形成装置についての操作パネル８１及び表示部８２以外の構成は、携帯端末１の場合（図２）と同様である。制御部１０１は、スクリーンショットが繰り返し行われて、複数の画像が記憶部４０に記憶されたときには、上記実施形態及び各変形例と同様にして、最後の画像を残して、他の画像を記憶部４０から消去するようにする。
【００５３】
これにより、画像形成装置の表示部８２の画面に表示されている画像形成装置の設定内容などの必要な画像を保存しておくことができる。
【００５４】
なお、この第２実施形態では、制御部１０１は、最後に取り込まれた画像の階層と他の画像の階層が異なるか否かを判定し、各画像の階層が異ならないと判定した場合に、他の画像を消去するようにしてもよい。各画像の階層構造は、制御部１０１が記憶しているものとする。
【００５５】
この場合、制御部１０１は、第１規定時間Ｔ１に達するまでにスクリーンショットが複数回繰り返されると、取り込まれた各画像の階層構造を求めて、最後に取り込まれた画像の階層と他の画像の階層が異なるか否かを判定する。そして、制御部１０１は、該各画像の階層が異なると判定すると、他の画像を消去するか否かを問い合わせる問い合わせメッセージＭａを表示部１０の画面に表示せず、当該他の画像を示す画像データを消去せずに残す。また、制御部１０１は、該各画像の階層が異ならないと判定すると、問い合わせメッセージＭａを表示部１０の画面に表示して、ユーザーから消去指示を受け付けたとき、当該消去指示の対象とされる他の画像を示す画像データを記憶部４０から消去する。
【００５６】
なお、第１規定時間Ｔ１の計時までにスクリーンショットが３回以上繰り返されたときには、２つ以上の他の画像が取り込まれるため、制御部１０１は、他の画像毎に、最後に取り込まれた画像の階層と他の画像の階層が異なるか否かを判定し、この判定結果に応じて問い合わせメッセージＭａの表示などの処理を行う。また、制御部１０１は、問い合わせのメッセージＭａを表示することなくかつ消去指示の受付を判定することなく、階層が異なる他の画像を示す画像データを記憶部４０から直ちに消去しても構わない。
＜第３実施形態＞
【００５７】
次に、本発明の第３実施形態の電子機器について説明する。第３実施形態の携帯端末１は、第１実施形態と同様に、図１及び図２に示す外観及び内部構成を有しているが、撮像部５０による撮像が短時間の間に繰り返し行われて、撮像部５０により撮像された複数の画像を示すそれぞれの画像データが記憶部４０に記憶されたときに、これらの画像のうちの好ましくない少なくとも１つの画像を記憶部４０から容易に消去することができるようにしている点が、第１及び第２実施形態とは異なる。
【００５８】
例えば、撮像制御部１０６は、撮像部５０により撮像された画像に対して手ぶれ補正の画像処理を施すときに、画像のブレの程度を判定しておく。そして、制御部１０１は、短時間の間に繰り返して撮像された複数の画像の間で、それぞれの画像のブレの程度を比較し、ブレの程度が大きな少なくとも１つの画像を示す画像データを記憶部４０から消去する。なお、画像のブレの程度の判定には、既知の判定方法（例えば、特開２０１３−１１８５７４号公報における段落〔００６８〕に開示されるような方法）が用いられる。
【００５９】
次に、そのように撮像された複数の画像のうちのブレの程度が大きな少なくとも１つの画像を消去するための処理手順を、図７に示すフローチャートに従って説明する。
【００６０】
まず、携帯端末１における表示部１０の画面にカメラの機能に対応するアイコンＡ２が表示さているものとする。このとき、制御部１０１は、タッチパネル２０を介してアイコンＡ２に対するタッチ操作を受け付けると、撮像制御部１０６を起動する（ステップＳ２０１）。そして、撮像制御部１０６は、例えばオンキー２１の操作によるユーザーからの撮像実行指示を受け付けるのを待機し（ステップＳ２０２）、当該撮像実行指示を受け付けると（ステップＳ２０２で「Ｙｅｓ」）、撮像部５０による撮像を行わせ、撮像部５０により撮像された画像を示す画像データを記憶部４０に記憶させる（ステップＳ２０３）。また、撮像制御部１０６は、撮像された画像に対して手ぶれ補正の画像処理を施すと共に、画像のブレの程度を判定する。
【００６１】
そして、制御部１０１は、撮像部５０による撮像が行われると、予め設定された第１規定時間Ｔ１の計時を開始する（ステップＳ２０４）。この第１規定時間Ｔ１の計時の間に、つまり１回目の撮像の時点から第１規定時間Ｔ１を経過するまでに（ステップＳ２０５で「Ｎｏ」）、ユーザーからの撮像実行指示を受け付けると（ステップＳ２０６で「Ｙｅｓ」）、撮像制御部１０６は、その度に撮像部５０による撮像を行わせて、撮像部５０により撮像された画像を示す画像データを記憶部４０に記憶させ（ステップＳ２０７）、画像のブレの程度を判定する。勿論、撮像実行指示が受け付けられなければ（ステップＳ２０６で「Ｎｏ」）、撮像制御部１０６は上記撮像を行わせない。
【００６２】
更に、制御部１０１は、第１規定時間Ｔ１の計時を終了すると、撮像部５０による撮像が複数回行われたか否かを判定する（ステップＳ２０８）。すなわち、制御部１０１は、１回目の撮像の時点から第１規定時間Ｔ１を経過するまでに、２回目以降の撮像が行われたか否かを判定する。
【００６３】
例えば、制御部１０１は、撮像が複数回行われたと判定すると（ステップＳ２０８で「Ｙｅｓ」）、図８に示すようにポップアップ画面Ｐｂを表示部１０の画面に表示する（ステップＳ２０９）。制御部１０１は、このポップアップ画面Ｐｂとして、ブレの程度が大きな画像を示す画像データを記憶部４０から消去するか否かを問い合わせる問い合わせメッセージＭｂと、ブレの程度が大きな画像を縮小した縮小画像と、ＯＫキー６１及びＮＧキー６２とを表示させる。このため、ユーザーは、ブレの程度が大きな画像を消去するかどうかを判断することができる。なお、制御部１０１は、ブレの程度が大きな画像が複数ある場合は、例えば該各画像のうちのブレの程度が最も大きな画像を縮小表示する。
【００６４】
このとき、制御部１０１は、タッチパネル２０によりＯＫキー６１の操作が検知されることによりユーザーからの消去指示を受け付けると（ステップＳ２１０で「ＯＫ」）、第１規定時間Ｔ１の計時までに複数回繰り返して撮像された各画像の間における画像のブレの程度を比較し、ブレの程度が大きな少なくとも１つの画像、例えば、最も新しい画像を示す画像データを記憶部４０から消去する（ステップＳ２１１）。あるいは、制御部１０１は、該各画像のうちのブレの程度が最も小さな画像を示す画像データを残して、他の画像を示す画像データを全て消去してもよい。
【００６５】
また、制御部１０１は、タッチパネル２０によりＮＧキー６２の操作が検知されることによりユーザーから、消去しない旨の指示を受け付けると（ステップＳ２１０で「ＮＧ」）、ステップＳ２１１の処理を行わずに、上記複数回繰り返して撮像された各画像の全てを残して、図７の処理を終了する。
【００６６】
また、制御部１０１は、第１規定時間Ｔ１の計時までに撮像が１回だけ行われたと判定すると（ステップＳ２０８で「Ｎｏ」）、各ステップＳ２０９〜Ｓ２１１の処理を行わずに、その１回撮像された画像を示す画像データを残して、図７の処理を終了する。
【００６７】
このように第３実施形態では、短時間の間に撮像が複数回繰り返し行われて、複数の画像を示す各画像データが記憶部４０に記憶されたときに、問い合わせメッセージＭｂを表示し、ユーザーから消去指示があった場合に、ブレの程度が大きな画像を示す画像データを記憶部４０から消去するので、不要な画像データを記憶部４０から容易に消去することができる。
【００６８】
なお、第３実施形態では、制御部１０１が、問い合わせメッセージＭｂを表示部１０の画面に表示し、ユーザーからの消去指示があったときに、ブレの程度が大きな少なくとも１つの画像を消去しているが、第１規定時間Ｔ１の計時までに撮像が複数回繰り返されたときに、問い合わせのメッセージＭｂを表示することなくかつユーザーからの消去指示の受付を待つことなく、ブレの程度が大きな少なくとも１つの画像を示す画像データを記憶部４０から直ちに消去しても構わない。
＜変形例３−１＞
【００６９】
第３実施形態では、複数の画像の間で、画像のブレの程度を比較し、ブレの程度が大きな少なくとも１つの画像を消去しているが、撮像制御部１０６が、撮像部５０による撮像の度に、画像のピントの精度を検出し、制御部１０１が、複数の画像のうちのピントの精度が低い少なくとも１つの画像を消去しても構わない。あるいは、制御部１０１は、該各画像のうちのピントの精度が最も高い画像を残して、他の画像を全て消去しても構わない。なお、画像のピントについての精度の検出方法は、既知の検出方法が用いられる（例えば、特開２００６−５０４９４号公報における段落〔００８４〕−〔００９５〕に開示される撮影画像のブレの具合又はボケの度合いに基づいて画質を評価する方法）。
＜変形例３−２＞
【００７０】
また、撮像制御部１０６が、撮像部５０による撮像の度に、画像の明るさを求めて判定し、制御部１０１が、該各画像のうちの明るさが低い少なくとも１つの画像を消去してもよい。あるいは、制御部１０１は、該各画像のうちの最も明るい画像を残して、他の画像を消去しても構わない。
＜変形例３−３＞
【００７１】
また、撮像部５０により撮像された画像に含まれる人の顔の画像を認識する顔認識部１０８（図２に破線で示す）を撮像制御部１０６に設けておき、撮像部５０により撮像された各画像について、顔認識部１０８により認識された顔を示す画像の数を比較し、制御部１０１は、この比較結果に応じて該各画像の取捨選択を行ってもよい。この場合は、撮像部５０による撮像の度に、制御部１０１は、顔認識部１０８により画像に含まれる人の顔の数を判定する。そして、制御部１０１は、該各画像の間で、画像に含まれる顔の数を比較し、顔の数が少ない少なくとも１つの画像を消去する。あるいは、制御部１０１は、顔の数が最も多い画像を残して、他の画像の全てを消去してもよい。なお、顔認識部１０８による上記顔認識は公知の方法が用いられる。
【００７２】
なお、上記各変形例３−１、３−２、３−３のいずれにおいても、制御部１０１は、画像の消去前に、問い合わせメッセージを表示して、ユーザーからの消去指示を受け付けた場合にのみ、画像消去を実行するようにしてもよい。
【００７３】
また、上記各実施形態及び各変形例を組み合わせたものも、本発明の一実施形態に含まれる。
【００７４】
また、上記実施形態では、本発明に係る電子機器の一例として、画像形成装置を用いて説明しているが、これは一例に過ぎず、本発明に係る電子機器は、タッチパネル機能を有する表示部を備えた、モバイル機器、医療機器、券売機等といった機器でもよい。
【００７５】
また、図１乃至図８を用いて説明した上記実施形態の構成及び処理は、本発明の一実施形態に過ぎず、本発明を当該構成及び処理に限定する趣旨ではない。
【符号の説明】
【００７６】
１      電子機器
１０    表示部
２０    タッチパネル
２１    オンキー
２２    スクリーンショットキー
３０    通信部
４０    記憶部
５０    撮像部
１００  制御ユニット
１０１  制御部
１０４  通信制御部
１０５  スクリーンショット実行部
１０６  撮像制御部
１０８  顔認識部
【図１】
0006477590.tif 000002
【図２】
0006477590.tif 000003
【図３】
0006477590.tif 000004
【図４】
0006477590.tif 000005
【図５】
0006477590.tif 000006
【図６】
0006477590.tif 000007
【図７】
0006477590.tif 000008
【図８】
0006477590.tif 000009